(57)【要約】【課題】ユーザ間で重要な情報を効率的に共有できるようにし得る、作業記録共有装置、作業記録共有方法、及びプログラムを提供する。【解決手段】作業記録共有装置１０は、複数のユーザそれぞれ毎に各ユーザによる作業記録の入力を受付ける入力受付部１１と、複数のユーザそれぞれ毎に個人用のｗｅｂサイトを提供する個人サイト提供部１２と、複数のユーザ間で共有される情報を提示するための共有用のｗｅｂサイトを提供する共有サイト提供部１３と、個人用のｗｅｂサイトに、自身の作業記録を入力したユーザ以外のユーザによるアクセスが行なわれた場合に、アクセスの内容を記録し、記録されたアクセスの内容を、自身の作業記録を入力したユーザに通知する管理部１４と、ユーザの指示に応じて指示を行なったユーザ自身の作業記録が提示されている個人用のｗｅｂサイトの内容を、共有用のｗｅｂサイトに転記する情報転記部１５とを備えている。【選択図】図１
2018163416.tif 000002
【特許請求の範囲】
【請求項１】
複数のユーザそれぞれ毎に、当該ユーザによる作業記録の入力を受付ける、入力受付部と、
前記複数のユーザそれぞれ毎に、当該ユーザが入力した作業記録が提示され、且つ、当該ユーザ以外のユーザによるアクセス及び書き込みが許可された、個人用のｗｅｂサイトを提供する、個人サイト提供部と、
前記複数のユーザ間で共有される情報を提示するための、共有用のｗｅｂサイトを提供する、共有サイト提供部と、
前記個人用のｗｅｂサイトに、自身の前記作業記録を入力したユーザ以外のユーザによるアクセスが行なわれた場合に、前記アクセスの内容を記録し、記録された内容を、自身の前記作業記録を入力したユーザに通知する、管理部と、
前記ユーザの指示に応じて、指示を行なった前記ユーザ自身の作業記録が提示されている個人用のｗｅｂサイトの内容の全部又は一部を、前記共有用のｗｅｂサイトに転記する、情報転記部と、
を備えている、ことを特徴とする作業記録共有装置。
【請求項２】
前記管理部が、前記アクセスの内容として、アクセスしたユーザの人数と、アクセスしたユーザが前記作業記録に対して付加したコメントの内容及び数とを記録する、
請求項１に記載の作業記録共有装置。
【請求項３】
前記管理部が、記録している前記アクセスの内容が、予め設定されている条件を満たす場合に、記録された内容を、自身の前記作業記録を入力したユーザに通知する、
請求項１または２に記載の作業記録共有装置。
【請求項４】
（ａ）複数のユーザそれぞれ毎に、当該ユーザによる作業記録の入力を受付ける、ステップと、
（ｂ）前記複数のユーザそれぞれ毎に、当該ユーザが入力した作業記録が提示され、且つ、当該ユーザ以外のユーザによるアクセス及び書き込みが許可された、個人用のｗｅｂサイトを提供する、ステップと、
（ｃ）前記複数のユーザ間で共有される情報を提示するための、共有用のｗｅｂサイトを提供する、ステップと、
（ｄ）前記個人用のｗｅｂサイトに、自身の前記作業記録を入力したユーザ以外のユーザによるアクセスが行なわれた場合に、前記アクセスの内容を記録し、記録された内容を、自身の前記作業記録を入力したユーザに通知する、ステップと、
（ｅ）前記ユーザの指示に応じて、指示を行なった前記ユーザ自身の作業記録が提示されている個人用のｗｅｂサイトの内容の全部又は一部を、前記共有用のｗｅｂサイトに転記する、ステップと、
を有することを特徴とする作業記録共有方法。
【請求項５】
前記（ｄ）のステップにおいて、
前記アクセスの内容として、アクセスしたユーザの人数と、アクセスしたユーザが前記作業記録に対して付加したコメントの内容及び数とを記録する、
請求項４に記載の作業記録共有方法。
【請求項６】
前記（ｄ）のステップにおいて、
記録している前記アクセスの内容が、予め設定されている条件を満たす場合に、記録された内容を、自身の前記作業記録を入力したユーザに通知する、
請求項４または５に記載の作業記録共有方法。
【請求項７】
コンピュータに、
（ａ）複数のユーザそれぞれ毎に、当該ユーザによる作業記録の入力を受付ける、ステップと、
（ｂ）前記複数のユーザそれぞれ毎に、当該ユーザが入力した作業記録が提示され、且つ、当該ユーザ以外のユーザによるアクセス及び書き込みが許可された、個人用のｗｅｂサイトを提供する、ステップと、
（ｃ）前記複数のユーザ間で共有される情報を提示するための、共有用のｗｅｂサイトを提供する、ステップと、
（ｄ）前記個人用のｗｅｂサイトに、自身の前記作業記録を入力したユーザ以外のユーザによるアクセスが行なわれた場合に、前記アクセスの内容を記録し、記録された内容を、自身の前記作業記録を入力したユーザに通知する、ステップと、
（ｅ）前記ユーザの指示に応じて、指示を行なった前記ユーザ自身の作業記録が提示されている個人用のｗｅｂサイトの内容の全部又は一部を、前記共有用のｗｅｂサイトに転記する、ステップと、
を実行させるプログラム。
【請求項８】
前記（ｄ）のステップにおいて、
前記アクセスの内容として、アクセスしたユーザの人数と、アクセスしたユーザが前記作業記録に対して付加したコメントの内容及び数とを記録する、
請求項７に記載のプログラム。
【請求項９】
前記（ｄ）のステップにおいて、
記録している前記アクセスの内容が、予め設定されている条件を満たす場合に、記録された内容を、自身の前記作業記録を入力したユーザに通知する、
請求項７または８に記載のプログラム。
【発明の詳細な説明】
【技術分野】
【０００１】
本発明は、複数のユーザ間で、特定の作業についての知識を共有するための、作業記録共有装置、作業記録共有方法、及びこれらを実現するためのプログラムに関する。
【背景技術】
【０００２】
近年、企業などの組織内で、個人の情報、及び知識を共有し、業務の効率化を図る取り組みがなされており、グループウェアと呼ばれるツールが情報共有の手段として利用されている。例えば、特許文献１は、グループウェアを提供するシステムを開示している。特許文献１に開示されたシステムによれば、グループウェアが提供され、ユーザ間での情報が共有される。具体的には、グループウェアは、ユーザ間のスケジュールの共有、文書の共有、電子掲示板による業務情報の共有等の機能を備えている。
【０００３】
例えば、グループウェアは、各ユーザの端末装置にカレンダーを表示させる。この場合、各ユーザが自身の端末装置に表示されたカレンダーに、自身のスケジュールを入力すると、グループウェアは、ユーザ全員のスケジュールを登録し、管理を行なう。これにより、グループ内のユーザ全員が、各ユーザのスケジュールを閲覧できるため、スケジュールの共有化が図られる。また、グループウェアが提供する電子掲示板には、グループ内のユーザ全員がアクセスできるので、電子掲示板を利用することにより、ユーザ全員に伝達事項を一度に伝達することも出来る。
【０００４】
また、このようなグループウェアを利用した情報共有は、企業などの組織だけでなく、従来、情報共有があまり行なわれてこなかった、個人事業主で構成される業界においても有用であると考えられる。例えば、農業分野では、同一地域内の多数の農家が、同様の農産物を生産する場合があるが、このような場合に、農家間でグループウェアを利用して、栽培ノウハウ等の情報の共有を図ることが考えられる。農業分野では、各農家における栽培ノウハウが生産量に密接に結びついているため、栽培ノウハウを共有できれば、その地域全体での生産量の増加が見込めるからである。
【先行技術文献】
【特許文献】
【０００５】
【特許文献１】特開２００２−９２２７７号公報
【発明の概要】
【発明が解決しようとする課題】
【０００６】
ところで、農家間で栽培ノウハウを共有するためには、各農家で行なわれた農作業を記録し、それを共有する必要があるが、細かい作業全てを含めると、記録すべき作業が非常に多く、情報量が非常に多くなってしまう。このため、特許文献１に開示されたシステムによるグループウェアを、農家間で単に導入しただけでは、重要な情報が、そうでない情報に埋もれてしまう事態が発生する可能性がある。
【０００７】
また、特許文献１に開示されたシステムによるグループウェアでは、電子掲示板を利用することによって、特に重要な情報を、各農家に周知できる。しかし、情報の重要度は、農家の熟練度による事が多く、ある人にとっては当たり前の情報が、別の人にとっては重要な情報となることがあるため、電子掲示板では、本当に重要な情報を周知できないことがある。
【０００８】
本発明の目的の一例は、上記問題を解消し、ノウハウの蓄積、及び共有化が求められる分野において、ユーザ間で重要な情報を効率的に共有できるようにし得る、作業記録共有装置、作業記録共有方法、及びプログラムを提供することにある。
【課題を解決するための手段】
【０００９】
上記目的を達成するため、本発明の一側面における作業記録共有装置は、
複数のユーザそれぞれ毎に、当該ユーザによる作業記録の入力を受付ける、入力受付部と、
前記複数のユーザそれぞれ毎に、当該ユーザが入力した作業記録が提示され、且つ、当該ユーザ以外のユーザによるアクセス及び書き込みが許可された、個人用のｗｅｂサイトを提供する、個人サイト提供部と、
前記複数のユーザ間で共有される情報を提示するための、共有用のｗｅｂサイトを提供する、共有サイト提供部と、
前記個人用のｗｅｂサイトに、自身の前記作業記録を入力したユーザ以外のユーザによるアクセスが行なわれた場合に、前記アクセスの内容を記録し、記録された内容を、自身の前記作業記録を入力したユーザに通知する、管理部と、
前記ユーザの指示に応じて、指示を行なった前記ユーザ自身の作業記録が提示されている個人用のｗｅｂサイトの内容の全部又は一部を、前記共有用のｗｅｂサイトに転記する、情報転記部と、
を備えている、ことを特徴とする。
【００１０】
また、上記目的を達成するため、本発明の一側面における作業記録共有方法は、
（ａ）複数のユーザそれぞれ毎に、当該ユーザによる作業記録の入力を受付ける、ステップと、
（ｂ）前記複数のユーザそれぞれ毎に、当該ユーザが入力した作業記録が提示され、且つ、当該ユーザ以外のユーザによるアクセス及び書き込みが許可された、個人用のｗｅｂサイトを提供する、ステップと、
（ｃ）前記複数のユーザ間で共有される情報を提示するための、共有用のｗｅｂサイトを提供する、ステップと、
（ｄ）前記個人用のｗｅｂサイトに、自身の前記作業記録を入力したユーザ以外のユーザによるアクセスが行なわれた場合に、前記アクセスの内容を記録し、記録された内容を、自身の前記作業記録を入力したユーザに通知する、ステップと、
（ｅ）前記ユーザの指示に応じて、指示を行なった前記ユーザ自身の作業記録が提示されている個人用のｗｅｂサイトの内容の全部又は一部を、前記共有用のｗｅｂサイトに転記する、ステップと、
を有することを特徴とする。
【００１１】
更に、上記目的を達成するため、本発明の一側面におけるプログラムは、
コンピュータに、
（ａ）複数のユーザそれぞれ毎に、当該ユーザによる作業記録の入力を受付ける、ステップと、
（ｂ）前記複数のユーザそれぞれ毎に、当該ユーザが入力した作業記録が提示され、且つ、当該ユーザ以外のユーザによるアクセス及び書き込みが許可された、個人用のｗｅｂサイトを提供する、ステップと、
（ｃ）前記複数のユーザ間で共有される情報を提示するための、共有用のｗｅｂサイトを提供する、ステップと、
（ｄ）前記個人用のｗｅｂサイトに、自身の前記作業記録を入力したユーザ以外のユーザによるアクセスが行なわれた場合に、前記アクセスの内容を記録し、記録された内容を、自身の前記作業記録を入力したユーザに通知する、ステップと、
（ｅ）前記ユーザの指示に応じて、指示を行なった前記ユーザ自身の作業記録が提示されている個人用のｗｅｂサイトの内容の全部又は一部を、前記共有用のｗｅｂサイトに転記する、ステップと、
を実行させることを特徴とする。
【発明の効果】
【００１２】
以上のように、本発明によれば、ノウハウの蓄積、及び共有化が求められる分野において、ユーザ間で重要な情報を効率的に共有することができる。
【図面の簡単な説明】
【００１３】
【図１】図１は、本発明の実施の形態における作業記録共有装置の構成を示す構成図である。
【図２】図２は、本発明の実施の形態で用いられるカレンダー形式ｗｅｂページの一例を示す図である。
【図３】図３は、本発明の実施の形態で用いられる作業記録ｗｅｂページの一例を示す図である。
【図４】図４は、本発明の実施の形態で用いられる作業記録共有ｗｅｂページの一例を示す図である。
【図５】図５は、本発明の実施の形態における作業記録共有装置の個人用のｗｅｂサイト作成処理時の動作を示すフロー図である。
【図６】図６は、本発明の実施の形態における作業記録共有装置の作業記録の受付処理時の動作を示すフロー図である。
【図７】図７は、本発明の実施の形態における作業記録共有装置の共有用のｗｅｂサイト作成処理時の動作を示すフロー図である。
【図８】図８は、本発明の実施の形態における作業記録共有装置の共有用のｗｅｂサイトへの転記処理時の動作を示すフロー図である。
【図９】図９は、本発明の実施の形態における作業記録共有装置を実現するコンピュータの一例を示すブロック図である。
【発明を実施するための形態】
【００１４】
（実施の形態）
以下、本発明の実施の形態における、作業記録共有装置、作業記録共有方法、及びプログラムについて、図１〜図６を参照しながら説明する。
【００１５】
［装置構成］
最初に、本発明の実施の形態における作業記録共有装置の構成について説明する。図１は、本発明の実施の形態における作業記録共有装置の構成を示す構成図である。
【００１６】
図１に示す本実施の形態における作業記録共有装置１０は、作業記録を共有するための装置である。図１に示すように、作業記録共有装置１０は、入力受付部１１と、個人サイト提供部１２と、共有サイト提供部１３と、管理部１４と、情報転記部１５とを備えている。
【００１７】
入力受付部１１は、複数のユーザ３１それぞれ毎に、各ユーザ３１による作業記録の入力を受付ける。また、個人サイト提供部１２は、複数のユーザ３１それぞれ毎に、個人用のｗｅｂサイトを提供する。この個人用のｗｅｂサイトは、ユーザ３１が入力した作業記録を提示するｗｅｂページを含み、作業記録を入力したユーザ３１以外のユーザ３１によるアクセス、及び書き込みが許可された、ｗｅｂサイトである。
【００１８】
共有サイト提供部１３は、複数のユーザ３１間で共有される情報を提示するための、共有用のｗｅｂサイトを提供する。また、管理部１４は、個人用のｗｅｂサイトに、自身の作業記録を入力したユーザ３１以外のユーザ３１によるアクセスが行なわれた場合に、そのアクセスの内容を記録する。そして、管理部１４は、記録されたアクセスの内容を、自身の作業記録を入力したユーザ３１に通知する。情報転記部１５は、ユーザ３１の指示に応じて、指示を行なったユーザ３１自身の作業記録が提示されている個人用のｗｅｂサイトの内容の全部又は一部を、共有用のｗｅｂサイトに転記する。
【００１９】
このように、本実施の形態では、ユーザが、自身の作業記録を個人用のｗｅｂサイトで公開する。そして、ユーザは、自身が作業記録を公開している、個人用のｗｅｂサイトへの他のユーザのアクセス状況を把握することが出来る。このため、ユーザは、自身が公開した情報が、自分にとっては当たり前である情報であっても、他のユーザにとっては重要な情報であることに気付くことが出来る。その結果、ノウハウの蓄積、及び共有化が求められる分野において、ユーザ間で重要な情報を効率的に共有することが出来る。
【００２０】
続いて、図１に加え、図２〜図４を用いて、本実施の形態における作業記録共有装置１０の構成について、更に具体的に説明する。
【００２１】
まず、本実施の形態は、例えば、農業分野のような、ノウハウを共有することが求められる分野で好適である。図１に示すように、本実施の形態では、作業記録共有装置１０は、インターネット４０を介して、各ユーザ３１の端末装置３０に接続されている。端末装置３０の具体例としては、スマートフォン、タブレット型端末、汎用のパーソナルコンピュータ等が挙げられる。
【００２２】
個人サイト提供部１２は、本実施の形態では、ユーザ３１それぞれに、個人用のｗｅｂサイトを提供する。個人用のｗｅｂサイトは、作業記録を入力するユーザ３１以外の他のユーザ３１にもアクセスが許可されており、他のユーザ３１が、提示されている作業記録の内容に対し、コメントを付加することが出来る。そして、個人サイト提供部１２は、例えば、作業記録を入力するユーザ３１が指定した、他のユーザ３１のみ、または予め設定されているグループに対して、個人用のｗｅｂサイトへのアクセスを許可するとしてもよい。
【００２３】
個人用のｗｅｂサイトは、図２で示されるようなカレンダー形式で提示されたｗｅｂページ（以下、「カレンダー形式ｗｅｂページ」と表記する。）と、図３で示されるような具体的な作業記録が提示されたｗｅｂページ（以下、「作業記録ｗｅｂページ」と表記する。）、とを含むｗｅｂサイトである。図２は、本発明の実施の形態で用いられるカレンダー形式ｗｅｂページの一例を示す図である。また、図３は、本発明の実施の形態で用いられる作業記録ｗｅｂページの一例を示す図である。
【００２４】
そして、ユーザ３１は、個人サイト提供部１２が提供する、自身の個人用のｗｅｂサイトにアクセスし、作業記録を入力する。具体的には、ユーザ３１は、個人用のｗｅｂサイト内のカレンダー形式ｗｅｂページ上で、作業記録を入力したい日付の欄をクリックする。例えば、ユーザ３１が、「２月３日」の作業記録を入力したい場合、カレンダー表示の「２月３日」の日付の欄をクリックする。
【００２５】
作業記録を入力したい日付の欄をクリックすると、作業記録が入力されていない作業記録ｗｅｂページ（図３参照）が表示され、ユーザ３１は、そこに、作業記録を入力する。ユーザ３１が入力する作業記録の情報としては、作業を実施した日付、時刻、作業内容、作業時の写真等が挙げられる。
【００２６】
そして、ユーザ３１が入力した作業記録を、入力受付部１１が受付け、受付けた作業記録を、作業記録内に記入された日付と紐付け、登録する。登録された作業記録は、図２に示すように、個人用のｗｅｂサイト内のカレンダー形式ｗｅｂページにおいて、月毎に一覧表示される。図２では、作業記録が登録されている日付の欄に、「作業記録」と表示されている。図２の例では、「１日」、「５日」、及び「９日」に作業記録が登録されていることが示されている。
【００２７】
そして、図２に示した「作業記録」の表示をクリックすると、図３に示す作業記録ｗｅｂページが提示される。作業記録ｗｅｂページには、ユーザ３１が予め同ページ内に入力した、作業記録が提示される。この作業記録を閲覧した、他のユーザ３１は、作業記録の内容に対し、コメントを付加することが出来る。
【００２８】
また、作業記録ｗｅｂページには、「役に立った」、または「いいね」のような評価用のボタンを設置してもよい。これにより、作業記録を閲覧した他のユーザ３１は、作業記録の内容に対し、コメントを付加するだけでなく、評価を付加することも出来る。
【００２９】
各作業記録ｗｅｂページに、作業記録を入力したユーザ３１以外の他のユーザ３１から、アクセスがあった場合は、カレンダー形式ｗｅｂページ上でその旨を示す表示がされる。具体的には、図２に示すように、該当する日の作業記録ｗｅｂページ上に、他のユーザからのアクセスがあったことを示す記号が表示される。図２の例では、前述した記号は二重マルであり、具体的には、「１日」と「９日」に登録されている作業記録ｗｅｂページに、他のユーザ３１によるアクセスが行なわれたことが示されている。
【００３０】
管理部１４は、本実施の形態では、カレンダー形式ｗｅｂページ、及び作業記録ｗｅｂページに対し、他のユーザ３１のアクセスが行なわれた場合に、アクセスの内容を記録し、記録した内容を、作業記録を記入したユーザ３１に通知する。管理部１４は、アクセスの内容として、該当するｗｅｂページに関し、アクセスしたユーザ３１の人数、及びアクセスしたユーザ３１が作業記録に対して付加したコメントの内容及び数を記録する。
【００３１】
加えて、管理部１４は、アクセスしたユーザ名、アクセスが行なわれた日時等について記録してもよい。また、作業記録ｗｅｂページに「役に立った」、または「いいね」のような評価用のボタンが設置されている場合は、管理部１４は、更に、評価用のボタンが押された回数を記録してもよい。
【００３２】
また、管理部１４は、記録している他のユーザ３１のアクセスの内容が、予め設定されている条件を満たす場合に、記録された内容を、作業記録を入力したユーザ３１に通知してもよい。
【００３３】
例えば、管理部１４は、他のユーザ３１からのアクセス数、又は、コメント数が一定数に達した場合のみ、作業記録を入力したユーザ３１に通知してもよい。また、ユーザ３１への通知は、図２に示した表示だけでなく、メールで行なってもよい。更に、管理部１４は、他のユーザ３１のアクセスの内容を確認出来るような機能を備えていてもよい。
【００３４】
共有サイト提供部１３は、本実施の形態では、上述したように予め共有用のｗｅｂサイトを作成している。本実施の形態では、共有用のｗｅｂサイトは、図４に示すように、各ユーザ３１から転記が指示された作業記録ｗｅｂページの内容を、一覧表示するｗｅｂページ（以下、「作業記録共有ｗｅｂページ」と表記する。）を含む。又は、共有用のｗｅｂサイトは、作業記録共有ｗｅｂページ以外のｗｅｂページを含んでいてもよい。図４は、本発明の実施の形態で用いられる作業記録共有ｗｅｂページの一例を示す図である。
【００３５】
共有サイト提供部１３は、作業記録共有ｗｅｂページ内において、提示されている作業記録に対し、他のユーザがコメントを付加した場合は、そのコメントを受付けることが出来る。他のユーザによるコメントが付加されると、共有サイト提供部１３は、共有用のｗｅｂページ上にそのコメントを反映させる。
【００３６】
情報転記部１５は、上述したように、ユーザ３１から転記の指示があった場合、指示があった作業記録ｗｅｂページの内容を、作業記録共有ｗｅｂページに転記する。また、情報転記部１５は、本実施の形態では、作業記録を入力したユーザ３１の指示を必要とせずに、例えば、他のユーザによるアクセスが一定数を超えた場合に、作業記録ｗｅｂページの内容を共有用のｗｅｂサイト（作業記録共有ｗｅｂページ）に転記してもよい。
【００３７】
加えて、情報転記部１５は、指示を受けた作業記録ｗｅｂページの全てを転記する必要はなく、例えば、他のユーザ３１からのコメントに関わる箇所など、その作業記録ｗｅｂページに記載されている一部を転記してもよい。
【００３８】
［装置動作］
次に、本発明の実施の形態における作業記録共有装置１０の動作について図５〜図８を用いて説明する。以下の説明においては、適宜図１〜図４を参酌する。また、本実施の形態では、作業記録共有装置１０を動作させることによって、作業記録共有方法が実施される。よって、本実施の形態における作業記録共有方法の説明は、以下の作業記録共有装置１０の動作説明に代える。
【００３９】
最初に、図５を用いて、作業記録共有装置１０における個人用のｗｅｂサイト作成処理について説明する。図５は、本発明の実施の形態における作業記録共有装置の個人用のｗｅｂサイト作成処理時の動作を示すフロー図である。
【００４０】
図５に示すように、入力受付部１１は、ユーザ３１が入力した自身の個人情報を、受付ける（ステップＡ１）。続いて、入力受付部１１は、ステップＡ１で、受付けた個人情報を個人サイト提供部１２に受渡す。そして、個人サイト提供部１２は、入力受付部１１から受取ったユーザ３１の個人情報に基づき、個人用のｗｅｂサイトを作成する（ステップＡ２）。
【００４１】
次に、図６を用いて、作業記録共有装置１０における作業記録の受付処理について説明する。図６は、本発明の実施の形態における作業記録共有装置の作業記録の受付処理時の動作を示すフロー図である。
【００４２】
図６に示すように、入力受付部１１は、ユーザ３１が、個人サイト提供部１２が提示する作業記録ｗｅｂページ（図３参照）上に入力した作業記録を受付ける（ステップＢ１）。続いて、入力受付部１１は、ステップＢ１で受付けた作業記録を、作業記録内に記入された日付と紐付け、登録する（ステップＢ２）。そして、入力受付部１１は、ステップＢ２で登録した作業記録を個人サイト提供部１２に受渡す。個人サイト提供部１２は、入力受付部１１から受取った作業記録を個人用のｗｅｂサイトに反映させる（ステップＢ３）。
【００４３】
続いて、図７を用いて、作業記録共有装置１０における共有用のｗｅｂサイト作成処理について説明する。図７は、本発明の実施の形態における作業記録共有装置の共有用のｗｅｂサイト作成処理時の動作を示すフロー図である。
【００４４】
図７に示すように、共有サイト提供部１３は、既に入力受付部１１で受付けられているユーザ３１全員の個人情報を取得する（ステップＣ１）。続いて、共有サイト提供部１３は、取得したユーザ３１の個人情報に基づき、共有用のサイトを作成する（ステップＣ２）。
【００４５】
続いて、図８を用いて作業記録共有装置１０における共有用のｗｅｂサイトへの転記処理について説明する。図８は、本発明の実施の形態における作業記録共有装置の共有用のｗｅｂサイトへの転記処理時の動作を示すフロー図である。なお、前提として、図５〜図７に示した処理が既に実行されているとする。
【００４６】
図８に示すように、最初に、管理部１４は、各ユーザ３１の個人用のｗｅｂサイトに、作業記録を入力したユーザ３１以外の他のユーザ３１からのアクセスがあったかどうかを判定する（ステップＤ１）。
【００４７】
ステップＤ１の判定の結果、他のユーザ３１によるアクセスが行なわれなかったと判定した場合は、管理部１４は待機状態となり、所定の時間の経過後、再度ステップＤ１を実行する。一方で、ステップＤ１の判定の結果、他のユーザ３１によるアクセスが行なわれたと判定した場合は、管理部１４は、アクセスの内容を記録する（ステップＤ２）。そして、管理部１４は、ステップＤ２において記録したアクセスの内容を、作業記録を入力したユーザ３１に通知する（ステップＤ３）。
【００４８】
通知を受取ったユーザ３１は、ステップＤ３で通知されたアクセスの内容に基づき、該当する作業記録ｗｅｂページの内容を、共有用のｗｅｂサイトに転記するかどうか判断する。そして、ユーザ３１は、該当する作業記録ｗｅｂページの内容を転記すると判断した場合は、端末装置３０を介して、作業記録共有装置１０に対し、転記を指示する。
【００４９】
次に、ステップＤ３の実行後、情報転記部１５は、ユーザ３１から転記の指示があったかどうかを判定する（ステップＤ４）。
【００５０】
ステップＤ４の判定の結果、ユーザ３１の指示がなかったと判定した場合には、情報転記部１５は待機状態となり、所定の時間の経過後、再度ステップＤ１を実行する。一方、ステップＤ４の判定の結果、ユーザ３１の指示があったと判定した場合は、情報転記部１５は、指示された作業記録ｗｅｂページの内容を、共有用のｗｅｂサイト（作業記録共有ｗｅｂページ）に転記する（ステップＤ５）。
【００５１】
［実施の形態における効果］
以上のように、本実施の形態では、ユーザが、自身の作業記録を個人用のｗｅｂサイトにおいて公開する。そして、ユーザは、自身が作業記録を公開している、個人用のｗｅｂサイトへの他のユーザのアクセス状況を把握することが出来る。このため、ユーザは、自身が公開した情報が、自分にとっては当たり前である情報であっても、他のユーザにとっては重要な情報であることに気付くことが出来る。その結果、ノウハウの蓄積、及び共有化が求められる分野において、ユーザ間で重要な情報を効率的に共有することが出来る。
【００５２】
［プログラム］
本実施の形態におけるプログラムは、コンピュータに、図５〜図８に示すステップＡ１〜Ａ２、Ｂ１〜Ｂ３、Ｃ１〜Ｃ２、及びＤ１〜Ｄ５を実行させるプログラムであれば良い。このプログラムをコンピュータにインストールし、実行することによって、本実施の形態における作業記録共有装置１０と作業記録共有方法とを実現することができる。この場合、コンピュータのＣＰＵ（Central Processing Unit）は、入力受付部１１、個人サイト提供部１２、共有サイト提供部１３、管理部１４、及び情報転記部１５として機能し、処理を行なう。
【００５３】
また、本実施の形態におけるプログラムは、複数のコンピュータによって構築されたコンピュータシステムによって実行されても良い。この場合は、例えば、各コンピュータが、それぞれ、入力受付部１１、個人サイト提供部１２、共有サイト提供部１３、管理部１４、及び情報転記部１５のいずれかとして機能しても良い。
【００５４】
（物理構成）
ここで、実施の形態におけるプログラムを実行することによって、作業記録共有装置１０を実現するコンピュータについて図９を用いて説明する。図９は、本発明の実施の形態における作業記録共有装置を実現するコンピュータの一例を示すブロック図である。
【００５５】
図９に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５６】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５７】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５８】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５９】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００６０】
なお、本実施の形態における作業記録共有装置１０は、プログラムがインストールされたコンピュータではなく、各部に対応したハードウェアを用いることによっても実現可能である。更に、作業記録共有装置１０は、一部がプログラムで実現され、残りの部分がハードウェアで実現されていてもよい。
【産業上の利用可能性】
【００６１】
以上のように、本発明によれば、あるユーザにとっては、当たり前であるが、別のユーザにとっては、重要であるというような場合においても、複数のユーザ間で、効率的な情報共有を行なうことが出来る。本発明は、ノウハウの蓄積、及び共有化が必要な各種分野に有用である。
【符号の説明】
【００６２】
１０  作業記録共有装置
１１  入力受付部
１２  個人サイト提供部
１３  共有サイト提供部
１４  管理部
１５  情報転記部
３０  端末装置
３１  ユーザ
４０  インターネット
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018163416.tif 000003
【図２】
2018163416.tif 000004
【図３】
2018163416.tif 000005
【図４】
2018163416.tif 000006
【図５】
2018163416.tif 000007
【図６】
2018163416.tif 000008
【図７】
2018163416.tif 000009
【図８】
2018163416.tif 000010
【図９】
2018163416.tif 000011